(57)【要約】      （修正有）【課題】スキーヤー又はスノーボーダーの身体的特徴と、その技術レベル又は滑走スタイルに適したスキー板やスノーボードを判定し、顧客に提示できるスキー板又はスノーボード提示支援方法を提供する。【解決手段】顧客の個人情報として体重、脚力およびスキー技術又はスノーボード技術のレベルを電気通信手段を介してサーバが受信するステップＳ２，Ｓ３と、サーバが前記体重及び脚力に適したスキー板又はスノーボードの曲げ特性と、前記スキー技術又はスノーボード技術のレベルに適したスキー板又はスノーボードの捩れ特性を決定するステップＳ４と、サーバが前記曲げ特性及び捩れ特性に適合するスキー板又はスノーボードを判定するステップＳ５と、判定されたスキー板又はスノーボードをサーバが電気通信手段を介して顧客に提示するステップＳ６を含むことを特徴とするスキー板又はスノーボード提示支援方法。【選択図】図１
2005312706.tif 000002
【特許請求の範囲】
【請求項１】
顧客の体重、脚力およびスキー技術又はスノーボード技術のレベルに適したスキー板又はスノーボードをインターネットその他の電気通信手段を介して選択し、顧客に提示するスキー板又はスノーボード提示支援方法であって、
顧客の個人情報として体重、脚力およびスキー技術又はスノーボード技術のレベルを電気通信手段を介してサーバが受信するステップと、サーバが顧客の前記体重及び脚力に適したスキー板又はスノーボードの曲げ特性を決定するステップと、サーバが前記スキー技術又はスノーボード技術のレベルに適したスキー板又はスノーボードの捩れ特性を決定するステップと、サーバが前記曲げ特性及び捩れ特性に適合するスキー板又はスノーボードを判定するステップと、判定されたスキー板又はスノーボードをサーバが電気通信手段を介して顧客に提示するステップを含むことを特徴とするスキー板又はスノーボード提示支援方法。
【請求項２】
顧客の体重、脚力およびスキー技術又はスノーボード技術のレベルに適したスキー板又はスノーボードをインターネットその他の電気通信手段を介して選択し、顧客に提示するスキー板又はスノーボード提示支援方法であって、
顧客の個人情報として、顧客の氏名、連絡先などの個人情報を電気通信手段を介してサーバが受信し、それらの個人情報を記憶手段に記憶するステップと、
顧客の個人情報として、さらに体重、脚力およびスキー技術又はスノーボード技術のレベルを電気通信手段を介してサーバが受信するステップと、
サーバが顧客の前記体重及び脚力に適したスキー板又はスノーボードの曲げ特性を決定するステップと、サーバが前記スキー技術又はスノーボード技術のレベルに適したスキー板又はスノーボードの捩れ特性を決定するステップと、サーバが前記曲げ特性及び捩れ特性に適合するスキー板又はスノーボードを判定するステップと、判定されたスキー板又はスノーボードをサーバが電気通信手段を介して顧客に提示するステップを含むことを特徴とするスキー板又はスノーボード提示支援方法。
【請求項３】
サーバが複数種のスキー板又はスノーボードと、各スキー板又はスノーボードの曲げ特性及び捩れ特性との対応関係を記憶手段に記憶するステップと、サーバが該記憶手段から曲げ特性及び捩れ特性に対応したスキー板又はスノーボードを読み出すステップとをさらに含むことを特徴とする請求項１又は２に記載のスキー板又はスノーボード提示支援方法。
【請求項４】
提示されたスキー板又はスノーボードから、顧客の希望するスキー板又はスノーボードを電気通信手段を介してサーバが受信するステップをさらに含むことを特徴とする請求項１又は２に記載のスキー板又はスノーボード提示支援方法。
【請求項５】
サーバが、顧客の希望するスキー板又はスノーボードの在庫の有無を検出する在庫管理手段を備え、在庫の有無を顧客に提示するステップをさらに含むことを特徴とする請求項４に記載のスキー板又はスノーボード提示支援方法。
【請求項６】
サーバが顧客に提示したスキー板又はスノーボードから顧客が選択したスキー板又はスノーボードの特性と、
顧客の体重、脚力およびスキー技術又はスノーボード技術のレベルに応じて実際の滑走状態をシミュレーションして顧客に表示するステップをさらに含むことを特徴とする請求項４項に記載のスキー板又はスノーボード提示支援方法。
【請求項７】
顧客の希望するスキー板又はスノーボードの特性、価格、購入方法などの情報をサーバが顧客に提示するステップをさらに含むことを特徴とする請求項４に記載のスキー板又はスノーボード提示支援方法。
【請求項８】
サーバが、顧客の住所に近い販売店を検索してその販売店の所在地に関する情報を顧客に提示するステップをさらに含むことを特徴とする請求項１又は２に記載のスキー板又はスノーボード提示支援方法。
【請求項９】
サーバが、顧客の希望するスキー板又はスノーボードを在庫として有する販売店から、顧客の住所に近い販売店を検索し、その販売店の所在地に関する情報を顧客に提示するステップをさらに含むことを特徴とする請求項５に記載のスキー板又はスノーボード提示支援方法。
【請求項１０】
顧客の滑走スタイルの嗜好を、顧客の個人情報として電気通信手段を介してサーバが受信するステップをさらに含むことを特徴とする請求項１又は２に記載のスキー板又はスノーボード提示支援方法。
【請求項１１】
記憶手段に記憶された顧客情報に基いて、顧客に対してスキー板又はスノーボードの製品情報その他の広告を適宜送付するステップをさらに含むことを特徴とする請求項２に記載のスキー板又はスノーボード提示支援方法。
【請求項１２】
顧客の体重、脚力、身長、肥満度、年齢およびスキー技術又はスノーボード技術のレベルに適したスキー板又はスノーボードをインターネットその他の電気通信手段を介して選択し、顧客に提示するスキー板又はスノーボード提示支援方法であって、
顧客の個人情報として体重、脚力、身長、肥満度およびスキー技術又はスノーボード技術のレベルを電気通信手段を介してサーバが受信するステップと、サーバが前記体重、脚力、身長及び肥満度に適したスキー板又はスノーボードの曲げ特性を決定するステップと、サーバが前記スキー技術又はスノーボード技術のレベルに適したスキー板又はスノーボードの捩れ特性を決定するステップと、サーバが前記曲げ特性及び捩れ特性に適合するスキー板又はスノーボードを判定するステップと、判定されたスキー板又はスノーボードをサーバが電気通信手段を介して顧客に提示するステップを含むことを特徴とするスキー板又はスノーボード提示支援方法。                                                                                
【発明の詳細な説明】
【技術分野】
【０００１】
本発明は、顧客の体重、脚力及びスキー又はスノーボードの技術レベルや滑走スタイルの嗜好に基づいて、当該スキーヤー又はスノーボーダーとしての顧客に適したスキー板又はスノーボード（板）をインターネット、携帯電話情報サイトその他の電気通信手段を介して顧客に提示できるようにしたスキー板又はスノーボード提示支援方法に関する。
【背景技術】
【０００２】
各スキーヤー又はスノーボーダーに適したスキー板又はスノーボードは、各スキーヤー又はスノーボーダーの体重、脚力、肥満度、技術レベル等に基づき判定することが好ましい。
そして、スキー板又はスノーボードを購入する際には、顧客が店頭へ出かけて好みのスキー板やスノーボードを選定している。
【０００３】
そして、従来、一般的に、顧客は、スキー板やスノーボードを明確な基準によることなく、身長又は体型に基づいて勘に頼って選定していたため、販売店の店員に勧められるスキー板やスノーボードをそのまま購入したり、単に価格とか外観に基づいて選定する場合が多く、各スキーヤー又はスノーボーダーの身体的特徴とその技術レベルさらには滑走の嗜好に適したスキー板やスノーボードを的確に購入することは困難であった。
【０００４】
かかる各スキーヤー又はスノーボーダーに適したスキー板又はスノーボードを検索する方法として、各スキーヤー又はスノーボーダーの年齢、体重、身長、脚力といった身体的情報から、その各スキーヤー又はスノーボーダーに適したスキー板又はスノーボードの各部のサイズとフレックスを決定する方法が提案されている（特許文献１参照）。
【特許文献１】特開２００２−３１２３７１号公報
【発明の開示】
【発明が解決しようとする課題】
【０００５】
しかしながら、上記従来のスポーツ用品の検索方法においては、各スキーヤー又はスノーボーダーの年齢、体重、身長、脚力といった身体的情報から、画一的にその各スキーヤー又はスノーボーダーに適したスキー板又はスノーボードの各部のサイズとフレックスを決定しており、それが各スキーヤー又はスノーボーダーの技術レベル又は滑走の嗜好に適合しているか否かということを予め考慮するものではない。
【０００６】
従って、上記従来のスポーツ用品の検索方法においては、各スキーヤー又はスノーボーダーは、検索されたスキー板又はスノーボードが自己の技術レベルに適合しているか否かさらには滑走スタイルの嗜好に適合しているか否かについて、再検討する必要があるといった問題があった。
【０００７】
さらに、上記従来のスポーツ用品の検索方法においては、各スキーヤー又はスノーボーダーの技術レベル又は滑走スタイルの嗜好と、それに適したスキー板又はスノーボードの捩れ特性との関係について考慮しているものではない。
【０００８】
本発明は、前記従来技術の実情に鑑みてなされたもので、その目的は、各スキーヤー又はスノーボーダーの身体的特徴と、その技術レベル又は滑走スタイルの嗜好に適したスキー板やスノーボードを的確に判定し、顧客に提示できるようにしたスキー板又はスノーボード提示支援方法を提供することを目的とするものである。
【０００９】
又、本発明の他の目的は、顧客に店頭に出かけてもらうことなく、顧客に適したスキー板やスノーボードを的確に判定し、顧客に提示できるようにしたスキー板又はスノーボード提示支援方法を提供することを目的とするものである。
さらに、顧客に新製品に関する情報、その他の広告を適宜送付して、スキー板又はスノーボードの販売店による顧客サービスの向上と、販売促進を図ることを目的とするものである。
【課題を解決するための手段】
【００１０】
請求項１に記載の発明は、「顧客の体重、脚力およびスキー技術又はスノーボード技術のレベルに適したスキー板又はスノーボードをインターネットその他の電気通信手段を介して選択し、顧客に提示するスキー板又はスノーボード提示支援方法であって、
顧客の個人情報として体重、脚力およびスキー技術又はスノーボード技術のレベルを電気通信手段を介してサーバが受信するステップと、サーバが顧客の前記体重及び脚力に適したスキー板又はスノーボードの曲げ特性を決定するステップと、サーバが前記スキー技術又はスノーボード技術のレベルに適したスキー板又はスノーボードの捩れ特性を決定するステップと、サーバが前記曲げ特性及び捩れ特性に適合するスキー板又はスノーボードを判定するステップと、判定されたスキー板又はスノーボードをサーバが電気通信手段を介して顧客に提示するステップを含むことを特徴とするスキー板又はスノーボード提示支援方法。」である。
【００１１】
請求項２に記載の発明は、「顧客の体重、脚力およびスキー技術又はスノーボード技術のレベルに適したスキー板又はスノーボードをインターネットその他の電気通信手段を介して選択し、顧客に提示するスキー板又はスノーボード提示支援方法であって、
顧客の個人情報として、顧客の氏名、連絡先などの個人情報を電気通信手段を介してサーバが受信し、それらの個人情報を記憶手段に記憶するステップと、
顧客の個人情報として、さらに体重、脚力およびスキー技術又はスノーボード技術のレベルを電気通信手段を介してサーバが受信するステップと、
サーバが顧客の前記体重及び脚力に適したスキー板又はスノーボードの曲げ特性を決定するステップと、サーバが前記スキー技術又はスノーボード技術のレベルに適したスキー板又はスノーボードの捩れ特性を決定するステップと、サーバが前記曲げ特性及び捩れ特性に適合するスキー板又はスノーボードを判定するステップと、判定されたスキー板又はスノーボードをサーバが電気通信手段を介して顧客に提示するステップを含むことを特徴とするスキー板又はスノーボード提示支援方法。」である。
【００１２】
請求項３に記載の発明は、「サーバが複数種のスキー板又はスノーボードと、各スキー板又はスノーボードの曲げ特性及び捩れ特性との対応関係を記憶手段に記憶するステップと、サーバが該記憶手段から曲げ特性及び捩れ特性に対応したスキー板又はスノーボードを読み出すステップとをさらに含むことを特徴とする請求項１又は２に記載のスキー板又はスノーボード提示支援方法。」である。
【００１３】
請求項４に記載の発明は、「提示されたスキー板又はスノーボードから、顧客の希望するスキー板又はスノーボードを電気通信手段を介してサーバが受信するステップをさらに含むことを特徴とする請求項１又は２に記載のスキー板又はスノーボード提示支援方法。」である。
【００１４】
請求項５に記載の発明は、「サーバが、顧客の希望するスキー板又はスノーボードの在庫の有無を検出する在庫管理手段を備え、在庫の有無を顧客に提示するステップをさらに含むことを特徴とする請求項４に記載のスキー板又はスノーボード提示支援方法。」である。
【００１５】
請求項６に記載の発明は、「サーバが顧客に提示したスキー板又はスノーボードから顧客が選択したスキー板又はスノーボードの特性と、
顧客の体重、脚力およびスキー技術又はスノーボード技術のレベルに応じて実際の滑走状態をシミュレーションして顧客に表示するステップをさらに含むことを特徴とする請求項４項に記載のスキー板又はスノーボード提示支援方法。」である。
【００１６】
請求項７に記載の発明は、「顧客の希望するスキー板又はスノーボードの特性、価格、購入方法などの情報をサーバが顧客に提示するステップをさらに含むことを特徴とする請求項４に記載のスキー板又はスノーボード提示支援方法。」である。
【００１７】
請求項８に記載の発明は、「サーバが、顧客の住所に近い販売店を検索してその販売店の所在地に関する情報を顧客に提示するステップをさらに含むことを特徴とする請求項１又は２に記載のスキー板又はスノーボード提示支援方法。」である。
【００１８】
請求項９に記載の発明は、「サーバが、顧客の希望するスキー板又はスノーボードを在庫として有する販売店から、顧客の住所に近い販売店を検索し、その販売店の所在地に関する情報を顧客に提示するステップをさらに含むことを特徴とする請求項５に記載のスキー板又はスノーボード提示支援方法。」である。
【００１９】
請求項１０に記載の発明は、「顧客の滑走スタイルの嗜好を、顧客の個人情報として電気通信手段を介してサーバが受信するステップをさらに含むことを特徴とする請求項１又は２に記載のスキー板又はスノーボード提示支援方法。」である。
【００２０】
請求項１１に記載の発明は、「記憶手段に記憶された顧客情報に基いて、顧客に対してスキー板又はスノーボードの製品情報その他の広告を適宜送付するステップをさらに含むことを特徴とする請求項２に記載のスキー板又はスノーボード提示支援方法。」である。
【００２１】
請求項１２に記載の発明は、「顧客の体重、脚力、身長、肥満度およびスキー技術又はスノーボード技術のレベルに適したスキー板又はスノーボードをインターネットその他の電気通信手段を介して選択し、顧客に提示するスキー板又はスノーボード提示支援方法であって、
顧客の個人情報として体重、脚力、身長、肥満度およびスキー技術又はスノーボード技術のレベルを電気通信手段を介してサーバが受信するステップと、サーバが前記体重、脚力、身長及び肥満度に適したスキー板又はスノーボードの曲げ特性を決定するステップと、サーバが前記スキー技術又はスノーボード技術のレベルに適したスキー板又はスノーボードの捩れ特性を決定するステップと、サーバが前記曲げ特性及び捩れ特性に適合するスキー板又はスノーボードを判定するステップと、判定されたスキー板又はスノーボードをサーバが電気通信手段を介して顧客に提示するステップを含むことを特徴とするスキー板又はスノーボード提示支援方法。」である。
【発明の効果】
【００２２】
請求項１に記載の発明によれば、顧客の体重、脚力及び顧客のスキー技術又はスノーボード技術のレベルに基づき、当該顧客に適したスキー板又はスノーボードを選択し、顧客に提示することができる。
【００２３】
請求項２に記載の発明によれば、顧客の体重、脚力及び顧客のスキー技術又はスノーボード技術のレベルに基づき、当該顧客に適したスキー板又はスノーボードを選択し、提示することができる。さらに、顧客の個人情報として、顧客の氏名、連絡先などの個人情報をサーバが受信し記憶手段に記憶するため、以後、再度サーバに接続する際にこれらの入力を省略することができる。また、これらの顧客関連情報を活用して以後の製品開発に生かしたり、広告を送付することもできるようになる。
【００２４】
請求項３に記載の発明によれば予め記憶手段に記憶された複数種のスキー板又はスノーボードから、顧客に適合するスキー板又はスノーボードを選択し、顧客に提示することができる。
【００２５】
請求項４に記載の発明によれば、顧客に適した複数のスキー板又はスノーボードのなかから、顧客が選択した購入希望のスキー板又はスノーボードをサーバが電気通信手段を介して知ることができる。
【００２６】
請求項５に記載の発明によれば、顧客の希望するスキー板又はスノーボードの在庫につき顧客が店舗まで行くことなく簡単に知ることができる。
【００２７】
請求項６に記載の発明によれば、顧客が選択したスキー板又はスノーボードによる滑走状態を顧客に対して視覚的に表示してそのスキー板又はスノーボードの購入の参考とすることができ、顧客サービスを向上することができる。
【００２８】
請求項７に記載の発明によれば、顧客は店舗まで行くことなく製品に関する情報を簡単に入手できる。
【００２９】
請求項８に記載の発明によれば、顧客は自己にとって便利な店舗を容易に知ることができ、顧客サービスを向上することができる。
【００３０】
請求項９に記載の発明によれば、顧客は自己の希望するスキー板又はスノーボードを在庫として有する店舗を容易に知ることができ、顧客サービスを向上することができる。
【００３１】
請求項１０に記載の発明によれば、顧客の滑走スタイルの嗜好に適したスキー板又はスノーボードのなかから顧客に適合するスキー板又はスノーボードを選択し、顧客に提示することができる。
【００３２】
請求項１１に記載の発明によれば、顧客に対して自己に適合する新製品情報などを迅速に提供することができ、顧客サービスを向上することができる。
【００３３】
請求項１２に記載の発明によれば、顧客の身長、肥満度までも考慮して顧客に適したスキー板又はスノーボードを選択し、顧客に提示することができる。
【発明を実施するための最良の形態】
【００３４】
本発明のスキー板又はスノーボード提示支援方法は、図１及び図２におけるステップＳ１からステップＳ１０にてその概要が示されている。かかる本発明のスキー板又はスノーボード提示支援方法に使用するスキー板又はスノーボード判定システム１は、図３に示すように、インターネットなどの電気通信手段２に接続されたサーバ３を備えている。前記電気通信手段２とそれに接続されたサーバとしては、インターネットなどの電子計算機ネットワークの他、携帯電話情報サイトを構成する電気通信手段とサーバなどであってもよい。また、光ファイバーによる通信網も電気通信手段２の概念中に含むものである。
【００３５】
前記電気通信手段２には、スキー板又はスノーボードの購入を希望する顧客Ｃが、自己の体重、脚力、身長、肥満度、年齢、住所、氏名、連絡先、スキー技術のレベルなどに関する情報を入力するための各種通信機器（携帯電話、電子計算機、ＰＤＡなど）４が接続されている。
さらに、前記電気通信手段２には、スキー板又はスノーボードの店舗（販売店）５の情報入力端末が接続され、各店舗５内のスキー板又はスノーボードの在庫情報、価格情報などがサーバ３に常時提供される。
【００３６】
上記肥満度の判定基準には、例えば、
BMI ＝体重（Kg）÷身長（m）÷身長（m）
の計算式にて求めることができるBMI（ボディ・マス・インデックス）という体格指標を使用する方法と、
標準体重（Kg） ＝身長（m）×身長（m）×２２
肥満度（％）＝（実測体重−標準体重）÷標準体重×１００
の計算式にて求めることができる肥満度（％）を使用する方法が考えられる。
【００３７】
サーバ３は、電気通信手段２との通信部６、通信部６と接続された制御部７、制御部７と接続されたスキー板及びスノーボードデータベース８、制御部７と接続された店舗データベース９、制御部７と接続された顧客データベース１０を備えている。これらの各データベース８，９，１０は、ハードディスク装置などの記憶装置内に構築されている。サーバ３には、さらにプリンタ１１、ディスプレイ装置１２、キーボード１３、マウス１４が接続されている。
【００３８】
スキー板及びスノーボードデータベース８には、各種スキー板及びスノーボードの特性に関する情報などが予め記憶されている。この情報は、各販売店舗５内の情報入力端末からの入力情報又はサーバ３に接続されたキーボード１３等の入力装置からの情報に基づいて更新される（ステップＳ１）。
【００３９】
顧客データベース１０には、電気通信手段２から受信した顧客の体重、脚力、氏名、連絡先、性別、生年月日、スキー技術及び／又はスノーボード技術のレベル、滑走スタイルの嗜好などに関する個人情報が記憶される。かかる個人情報は、図４に示すように、サーバ３によって顧客の通信機器４に表示される顧客登録画面２０の各項目入力欄に顧客が入力することで、サーバ３の顧客データベース１０に情報が記憶される（ステップＳ２、ステップＳ３）。
【００４０】
このように、顧客の氏名、連絡先などの個人情報をサーバ３が受信し記憶手段に記憶するため、以後、再度サーバ３に接続する際にこれらの入力を省略するようにすることができる。また、これらの顧客関連情報を活用して以後の製品開発に生かしたり、広告を送付することもできるようになる。
【００４１】
店舗データベース９には、各店舗におけるスキー板又はスノーボードの在庫情報、価格情報などが記憶される。この店舗データベース９内のデータは、各販売店舗５内の情報入力端末からの入力情報又はサーバ３に接続されたキーボード１３等の入力装置からの情報に基づいて更新される。
スキー板及びスノーボードに関するこれらの各種情報（在庫の有無、価格、特性など）は、各店舗のＰＯＳシステム（販売時点情報管理システム）と連携して常時更新されるようにしておくのが、好ましい。
【００４２】
サーバ３は、ハードディスク装置などの記憶装置（図示しない）、制御部７内のＲＯＭ（図示しない）及びＲＡＭ（図示しない）を用いて、記憶装置に予め記憶された本発明を実行するためのプログラムにより、電気通信手段２から入力される顧客情報に基づいて、当該顧客Ｃとしてのスキーヤーやスノーボーダーに適したスキー板およびスノーボードを検索する（ステップＳ４、ステップＳ５）。
【００４３】
具体的には、前記サーバ３は、スキーヤー又はスノーボーダーの体重、脚力、肥満度、身長などに関する情報に基づいてその数値に適したスキー板又はスノーボードの曲げ特性を決定することができるものである。即ち、スキーヤー又はスノーボーダーの体重が重かったり、脚力が強い場合には、滑走中において、スキー板又はスノーボードに大きな荷重が加わるため、スキー板又はスノーボードが大きな荷重に耐えられるように、前記サーバ３は、スキーヤー又はスノーボーダーの体重、脚力が大きくなるに従って、スキー板又はスノーボードの特性として大きな曲げ特性が必要である旨を決定するものである（ステップＳ４）。この曲げ特性の決定に際しては、好ましくは、顧客の身長、肥満度、性別、年齢などをさらに考慮して顧客Ｃに最適なスキー板又はスノーボードの特性として曲げ特性を決定する。
【００４４】
脚力は、荷重センサ上にて顧客が屈伸運動を行うことで、荷重センサに加えられる最大荷重から顧客の体重を減算することにより、顧客の脚力を演算することができる。例えば、最大荷重が２２０kgｆであって体重が７５kgｆであれば、顧客の脚力は、１４５kgｆである。かかる脚力は、一度顧客が専用の測定器を用いて計測することで予め知ることができるが、顧客がその正確な脚力について知らない場合には、大、中、小などのおよその目安から適当な数値を用いて脚力の値とすることが考えられる。
【００４５】
さらに、前記サーバ３は、顧客のスキー又はスノーボードにおける滑走技術のレベルに関する情報に基づいて、顧客に適したスキー板又はスノーボードの捩れ特性を決定できるものである（ステップＳ４）。即ち、スキーヤーやスノーボーダーはスキーやスノーボードに関する滑走技術が高くなるに従って、スキー板やスノーボードのエッジを立てて使う傾向にあり、このような滑走をする場合には、スキーやスノーボードに対して大きな捩れ力が加わる。このため、前記サーバ３は、滑走技術の高いスキーヤーやスノーボーダーに対しては、捩れに対して強い特性を備えたスキー板やスノーボードが適している旨を決定するものである（ステップＳ５）。
【００４６】
この顧客Ｃの滑走技術のレベルの決定に際しては、単に各顧客Ｃの自己申告にて所定のレベルを選定する方法（例えば、最もレベルの高い場合を１とし、低い場合を７とするような、７段階から選定する方法）の他、かかる技術レベルの選定の正確さを向上するために、図５に示すようにサーバ３に予め記憶した各技術レベルに対応する滑走状態を示す動画情報を顧客Ｃに提示し、その動画によって表示されているスキーヤー又はスノーボーダーの滑走状態から自己の技術レベルを把握し、顧客Ｃの技術レベルを選定する方法を用いてもよい。
本実施例では、図５の技術レベルイメージ画面３０に示すように、５段階の技術レベルの異なる動画から顧客Ｃが自己の技術レベルと近似するものを選択し、その動画に対応する１〜５の数字を入力欄３１に入力し、確定ボタン３２を押すことで、技術レベルの決定を行うようにしている。即ち、顧客Ｃの技術レベルに関する情報をサーバ３が受信し、記憶する。
【００４７】
あるいは、この顧客Ｃの滑走技術のレベルの決定に際しては、図６に示すように顧客Ｃに滑走技術のレベルに関連する複数の質問事項３３を提示し、その質問事項に関する顧客の回答に基づいて顧客の滑走技術のレベルを選定する方法を採用してもよい。
かかる質問事項としては、例えば、スキーの場合、図６に示すように、「スキー大会に出場したことがある」、「資格テストを受験したことがある」、「ズレの無いカービングターンができる」、「大回りが得意である」、「コブ斜面を大回りで滑走できる」、「ズレをコントロールできる」、「小回りが得意である」、「カービングスキーを使用している」、「スキースクールでレッスンを受けたことがある」、「技術的な向上を常に意識している」といった、スキー技術の判定に関連する項目があげられる。
【００４８】
顧客Ｃは、これらの質問事項３３について回答した後、確定ボタン３４を押すことで、サーバ３が顧客Ｃの技術レベルの判定の判断材料となる情報を受信し、顧客Ｃの技術レベルを本発明を実行する所定のプログラムに基づいてサーバ３が決定する。
【００４９】
前記サーバ３は、上記の曲げ特性に関する情報と、捩れ特性に関する情報と、滑走スタイルの嗜好に関する情報に基づいて、本発明を実行する所定のプログラムに従ってスキー板データベース及びスノーボードデータベース８内の情報を検索し、それらの情報に適合するスキー板又はスノーボードを選定し、電気通信手段２を介して各顧客Ｃに提示するものである。
【００５０】
以下、本発明のスキー板又はスノーボード提示支援方法及びその方法に使用するシステムについて、便宜上、スキー板についての例を主として説明するが、スノーボードの場合も基本的にはスキー板の場合と同様である。
【００５１】
図７の表示画面３５は、体重・脚力並びに該体重と脚力とを合算した最大荷重と、これら体重・脚力並びに最大荷重に対応したスキー板（又はスノーボード）の曲げ特性と、スキーヤー（又はスノーボーダー）の滑走技術と該滑走技術に対応したスキー板（又はスノーボード）の捩れ特性と、このように求められた曲げ特性および捩れ特性に該当する複数のスキー板（又はスノーボード）が、表示された状態を示すものである。
【００５２】
かかるスキー板は、店舗データベース９により在庫として店舗に有るスキー板が表示される（ステップＳ６）。この場合、在庫の有無に拘わらず、顧客Ｃに適合する全てのスキー板を表示するとともに、それらの在庫の有無をさらに表示するようにしてもよい。
【００５３】
図７は、体重が７５ｋｇｆで、脚力が１４５ｋｇｆで、最大荷重（体重と脚力との合算）が２２０ｋｇｆで、曲げ特性がＨＡＲＤの場合を示す。又、同図７は、滑走技術のレベルがＡＢで捩れ特性がＭＩＤＤＬＥの場合を示す。更に、同図７では、曲げ特性がＨＡＲＤで、捩れ特性がＭＩＤＤＬＥのスキー板として、４つのスキー板が表示された状態を示す。ここで、曲げ特性は、図８の表示画面３８に示すように、最大荷重の数値に基づいてＨＡＲＤ、ＭＩＤＤＬＥ、ＳＯＦＴの別に区分けされるが、図８に記載の数値の範囲は本発明を実行するプログラム上、状況に応じて適宜に変更（調整）することができ
る。
【００５４】
前記図７の表示画面３５の詳細部３６をクリックすることにより、図９の表示画面４０に示すように各スキー板の詳細が表示される。図９は、図７において、Ｎｏ．１のスキー板が選択されて、その詳細が表示された状態を示す。図９は、スキー板の詳細として、ブランド、品名、およびサイズの他に、スキー板（又はスノーボード）のトップ幅、ウェスト幅、テール幅、サイドカーブ半径、ブーツセンター位置ＢＣ、重量と、スキー板（又はスノーボード）の曲げ分布と、捩れ分布の状態を示している。スキー板又はスノーボードのショルダ幅Bs、ウェスト幅Bw、テール幅Bhは、図１０に示す。
【００５５】
そして、図９に示すボタン４１をクリックすることにより、同図９に示すように詳細の表示されたスキー板を顧客Ｃが選択する旨が確定し（ステップＳ７）、一方、ボタン４２をクリックすることにより、顧客Ｃが選択されたスキー板を使用した場合における滑走状態をシミュレーションした表示を顧客Ｃに表示することができる（ステップＳ８）。
【００５６】
図１１は、スキーヤーの体重・脚力及び滑走技術のレベルに基づき選択されたスキー板を用いて滑走した場合のシミュレーション表示４８を示す。このシミュレーションを表示するためには、選択されたスキー板の長さ、サイドカーブ等に基づきターン弧半径Ｒを求めることが必要である。（スノーボードの場合も同様にシミュレーションできる。）
【００５７】
次に、選択されたスキー板のターン弧半径を求める手法について、図１０、図１２、図１３、図１４に基づき説明する。
【００５８】
先ず、図１０及び図１２に示すように、スキー板の長手方向にＸ軸、幅方向にＹ軸を設定する。スキー板のテール幅（後半部の最も幅の広い部分）、ウェスト幅（中央部の幅の狭い部分）及びショルダー幅（前半部の幅の広い部分）をそれぞれBh,Bw,Bsとする。又、これらのスキー板の後端からの長さをそれぞれLh,Lw,Lsとする。サイドカーブ上のテール、ウェスト、およびショルダの点をそれぞれＡ,Ｂ,Ｃとすれば、それぞれの座標は、Ａ（Lh,Bh／２）Ｂ（Lw,Bw／２）,Ｃ（Ls,Bs／２）と表される。又、直線ＡＣと、点Ｂから直線ＡＣへ垂直に下ろした直線との交点をＤとし、ＢＤ間の距離をScとする。更に、直線ＡＣを斜辺とする直角三角形ＡＣＥのＣＥの長さをＺ,∠ＣＡＥをαとする。
【００５９】
そして、スキー板をエッジング（角付け）すると、スキー板は直線ＡＣを軸にして回転すると仮定する（図参照。但し、エッジング角をθとする。）。次に、点Ｂは垂直に雪面上（ＸＹ平面）へ押し付けられると仮定する。つまり、点ＢはＢ´に投影される。このようにしてできた弧ＡＢ´Ｃをターン弧と仮定し、点ＡＢ´Ｃを通る円弧の曲率半径を、エッジングした時のターン弧半径Ｒと仮定する（但し、点Ａおよび点Ｂの位置は動かないと仮定する。）。
以上の設定において、ターン弧半径Ｒは、次の手順で求める。先ず、図１４に示すように、点Ａを原点とし、直線ＡＣをＸ軸とする座標系を考える。点Ａ,Ｂ´,Ｃの座標をそれぞれ（X1,Y1）,（X2,Y2）（X3,Y3）とすれば、３点を通る円の一般式は、数式１の計算式で与えられる。
【００６０】
（数式１）
（Ｘ−Ｓ）2＋（Ｙ−ｔ）2＝Ｒ2
又、３点Ａ,Ｂ´,Ｃを通る円弧の中心座標（Ｓ,ｔ）は数式２で求められる。
【００６１】
（数式２）
（Ｓ，ｔ）＝（Ｘ3／２，（Ｘ22−Ｘ2Ｘ3＋Ｙ22）／（２Ｙ2））
又、３点Ａ,Ｂ´,Ｃを通る円弧の半径Ｒは数式３で求まる。
【００６２】
（数式３）
Ｒ＝√｛（Ｘ3／２）2＋［（Ｘ22−Ｘ2Ｘ3＋Ｙ22）／（２Ｙ2）］2｝
又、スキーヤーがＸ方向へ距離１００ｍ滑走したときのターン回数をＴとすると、
Ｔ＝１００／２Ｒによって求めることができる。
【００６３】
そして、ターン軌跡を表示する場合、図１５に示すようにＸＹ座標系をとる。左ターンから右ターンへと連続するスキーターンは、エッジング角とスキー板の主要な３点の幅およびその位置より計算されたターン弧半径Ｒから、次の一般式（数式４）で表示できる。ここで、ターンの向きを決定する数値Ｋが奇数の時は左ターン、偶数の時は右ターンを意味する。
【００６４】
（数式４）
Ｋ＝１，３，５，７，・・・
Ｘ＝［（２Ｋ−１）−ｃｏｓθｔ］Ｒ
Ｙ＝−Ｒｓｉｎθｔ
Ｋ＝２，４，６，８，・・・
Ｘ＝［（２Ｋ−１）−ｃｏｓθｔ］Ｒ
Ｙ＝Ｒｓｉｎθｔ
【００６５】
そして、図１５に示すように、前述のＸ,Ｙを点で表示することにより、滑走の状態の静止画を表示することができる。
図１６は、上記の方法にて得られた図１５に示す滑走状態の軌跡４３を斜め前方から見た図１１に示すような遠近感を表現するために、前記図１５に示す軌跡４３の各座標を前方ほど誇張されるように変換した軌跡４４を示す図である。
【００６６】
尚、図７に示すように、スキーヤーまたはスノーボ−ダーの滑走スタイルの嗜好によって、大回り、中回り、小回りの別を入力するようにしても良い。そして、前述のように、各スキーヤー又はスノーボ−ダーに適していると判定されたスキー板又はスノーボードが、各スキーヤー又はスノーボ−ダーの嗜好によって選択された大回り、中回り、又は小回りに適する場合には、その旨を表示し、一方、適さない場合には、その旨を表示するようにしても良い。即ち、図１７は、各スキーヤー又はスノーボ−ダーに適していると判定されたスキー板又はスノーボードのターン弧半径が、図１７中、点４５で示すように、小回りの範囲に含まれて小回りに適する旨が表示される。一方、図１８は、各スキーヤー又はスノーボ−ダーに適していると判定されたスキー板又はスノーボードのターン弧半径が、小回りの範囲に含まれないことを該小回りの範囲の上限の表示４６を黒く表示することにより、当該上限以上に外れている旨が表示されるものである。
【００６７】
図１９に示す表示画面５０は、図９において最終的に顧客Ｃがスキー板（又はスノーボード）の購入を決定した場合に通信ネットワーク（電気通信手段２）上の店舗にて通信販売によりスキー板を購入するために顧客Ｃに提示される表示である（ステップＳ９）。
この場合、サーバ３は、顧客Ｃに対して顧客Ｃの住所に近い販売店舗５を選択し、さらに、その店舗の住所、地図、連絡先電話番号などを顧客Ｃに表示する。
かかる最寄りの店舗５の表示には、表示画面５０における「最寄りの店舗」ボタンを選択することでその住所、地図、連絡先電話番号などの情報を顧客Ｃに表示するようにしてもよい。
【００６８】
さらに、サーバ３は、店舗データベース９及び顧客データベース１０などの情報に基づき、顧客Ｃの連絡先に広告（郵便、電子メール又は携帯電話メールによる広告）を適宜送付する（ステップＳ１０）。
【００６９】
以上の実施形態においては、スキーヤー又はスノーボーダーの体重、脚力並びに滑走技術のレベルに適したスキー板又はスノーボードを判定したが、スキーヤー又はスノーボーダーの嗜好する滑走方法や身長、肥満の程度、年齢を加味して、各スキーヤー又はスノーボーダーに適したスキー板又はスノーボードを判定するようにしても良い。
【図面の簡単な説明】
【００７０】
【図１】本発明のスキー板又はスノーボード提示支援方法のフローチャート図。
【図２】本発明のスキー板又はスノーボード提示支援方法のフローチャート図。
【図３】本発明のスキー板又はスノーボード提示支援方法に用いるシステム全体の概念図。
【図４】本発明の実施に使用する顧客情報入力画面を示す図。
【図５】本発明のシステムにより顧客に表示されるスキー滑走の技術レベルイメージ画面を示す図。
【図６】本発明のシステムにより顧客に表示されるアンケート画面を示す図。
【図７】本発明のシステムにより顧客に提示されたスキー板を示す図。
【図８】本発明のプログラムにおける最大荷重とスキー板の曲げ特性の対応関係の一例を示す図。
【図９】本発明のシステムにより顧客に提示されたスキー板の詳細を示す図。
【図１０】スキー板の座標系を示す図である。
【図１１】本発明のシステムにより顧客に提示されたスキー板による滑走状態のシミュレーションを示す図。
【図１２】スキー板のターン弧の解析図である。
【図１３】スキー板にてエッジングした状態を示す図である。
【図１４】スキー板にてエッジングした時のターン弧半径を示す図である。
【図１５】ターンの表示を点で示す図である。
【図１６】図１５に示す表示を前方の斜め上方から観た状態に座標変換した状態を示す図である。
【図１７】スキーヤー又はスノーボーダーの選択した滑走方法（小回り）において、ターン弧半径と、判定されたスキー板又はスノーボードのターン弧半径との関係を示す図である。
【図１８】図１７と同様の図である。
【図１９】本発明のシステムにより顧客に表示されるスキー板の購入画面を示す図。
【符号の説明】
【００７１】
１  スキー板又はスノーボード判定システム
２  電気通信手段
３  サーバ
４  通信機器
５  販売店舗
６  通信部
７  制御部
８  スキー板及びスノーボードデータベース
９  店舗データベース
１０  顧客データベース
１１  プリンタ
１２  ディスプレイ装置
１３  キーボード
１４  マウス
２０  顧客登録画面
３０  技術レベルイメージ画面
３１  入力欄
３２  確定ボタン
３３  質問事項
３４  確定ボタン
３５  表示画面
３６  詳細部
３８  表示画面
４０  表示画面
４１  ボタン
４２  ボタン
４３  軌跡
４４  軌跡
４５  点
４６  表示
４８  シミュレーション表示
５０  表示画面
Ｃ  顧客
【図１】
2005312706.tif 000003
【図２】
2005312706.tif 000004
【図３】
2005312706.tif 000005
【図４】
2005312706.tif 000006
【図５】
2005312706.tif 000007
【図６】
2005312706.tif 000008
【図７】
2005312706.tif 000009
【図８】
2005312706.tif 000010
【図９】
2005312706.tif 000011
【図１０】
2005312706.tif 000012
【図１１】
2005312706.tif 000013
【図１２】
2005312706.tif 000014
【図１３】
2005312706.tif 000015
【図１４】
2005312706.tif 000016
【図１５】
2005312706.tif 000017
【図１６】
2005312706.tif 000018
【図１７】
2005312706.tif 000019
【図１８】
2005312706.tif 000020
【図１９】
2005312706.tif 000021